(57)【要約】【課題】芯線が切れるのを防止し、汎用性を高める。【解決手段】端子金具１０は、電線９０の端末にて露出する芯線９２にかしめ付けられるとともに接続相手に導通接続される金属板製の端子本体２０と、この端子本体２０とは別体に構成される金属板製の固定材部３０とからなる。固定材部３０は、電線９０の端末における被覆９１にかしめ付けられる被覆かしめ部３２と、この被覆かしめ部３２との間に切り込み３５を介して一体に連なって端子本体２０に固定される端子本体固定部３１とを備えている。【選択図】図１
2009117046.tif 000002
【特許請求の範囲】
【請求項１】
電線の端末にて露出する芯線にかしめ付けられるとともに接続相手に導通接続される金属板製の端子本体と、この端子本体とは別体に構成される金属板製の固定部材とからなり、
前記固定部材は、電線の端末における被覆にかしめ付けられる被覆かしめ部と、この被覆かしめ部との間に切り込みを介して一体に連なって前記端子本体に固定される端子本体固定部とを備えていることを特徴とする端子金具。
【請求項２】
前記端子本体固定部は、前記端子本体のうち前記芯線にかしめ付けられる芯線かしめ部にかしめ付けられることを特徴とする請求項１に記載の端子金具。
【請求項３】
電線の端末にて露出する芯線にかしめ付けられるとともに接続相手に導通接続される金属板製の端子本体とは別体に構成され、
金属板製であって、電線の端末における被覆にかしめ付けられる被覆かしめ部と、この被覆かしめ部との間に切り込みを介して一体に連なって前記端子本体に固定される端子本体固定部とを備えることを特徴とする固定部材。
【発明の詳細な説明】
【技術分野】
【０００１】
本発明は、端子金具及びこの端子金具の構成部品である固定部材に関する。
【背景技術】
【０００２】
バッテリー用の電線の端末に接続される端子金具として、特許文献１に記載のものが知られている。このものは、金属板製であって、電線の端末の被覆を皮剥ぎして露出された芯線にかしめ付けられるバレル状の芯線かしめ部と、この芯線かしめ部に一体に連なって接続相手に導通接続される平板状の相手側接続部とを備えている。これによれば、芯線かしめ部と端末被覆との間で露出する芯線部分が非連結状態となるため、電線が振動または屈曲することにより、この芯線部分に過大な応力が生じ、最悪の場合、芯線が切れるおそれがあった。
【０００３】
一方、バッテリー用の電線の端末に接続される端子金具として、特許文献２に記載のものも知られている。このものは、上記した芯線かしめ部と相手側接続部に加え、芯線かしめ部と一体に連なって電線の端末被覆にかしめ付けられる被覆かしめ部を備えている。この場合、芯線かしめ部と端末被覆との間が連繋されているため、電線が振動または屈曲しても、芯線部分に過大な応力が生じることはない。
【特許文献１】特開２００５−１７４６４０公報
【特許文献２】特開２００４−３５５９０８公報
【発明の開示】
【発明が解決しようとする課題】
【０００４】
しかし、全ての端子金具に対して被覆かしめ部を付設するのは設定上煩わしいという事情があった。また、バッテリー用の場合、一般的に電線が太いため、この太い電線に対しては被覆かしめ部の省略された特許文献１に記載の端子金具で十分に間に合うこともあった。したがって、特許文献１に記載の端子金具では芯線切れの懸念を払拭できないような場合に、必要に応じて、特許文献２に記載の技術を適用できるようにすることが望まれた。
【０００５】
本発明は上記のような事情に基づいて完成されたものであって、芯線が切れるのを防止するとともに、汎用性を高めることを目的とする。
【課題を解決するための手段】
【０００６】
上記の目的を達成するための手段として、請求項１の発明は、電線の端末にて露出する芯線にかしめ付けられるとともに接続相手に導通接続される金属板製の端子本体と、この端子本体とは別体に構成される金属板製の固定部材とからなり、前記固定部材は、電線の端末における被覆にかしめ付けられる被覆かしめ部と、この被覆かしめ部との間に切り込みを介して一体に連なって前記端子本体に固定される端子本体固定部とを備えている端子金具であることをところに特徴を有する。
【０００７】
請求項２に記載の発明は、請求項１に記載のものにおいて、前記端子本体固定部は、前記端子本体のうち前記芯線にかしめ付けられる芯線かしめ部にかしめ付けられるところに特徴を有する。
【０００８】
請求項３の発明は、電線の端末にて露出する芯線にかしめ付けられるとともに接続相手に導通接続される金属板製の端子本体とは別体に構成され、金属板製であって、電線の端末における被覆にかしめ付けられる被覆かしめ部と、この被覆かしめ部との間に切り込みを介して一体に連なって前記端子本体に固定される端子本体固定部とを備える固定部材であるところに特徴を有する。
【発明の効果】
【０００９】
＜請求項１及び請求項３の発明＞
固定部材が端子本体固定部を介して端子本体に固定されることにより、芯線部分と被覆部分が実質的に連繋されるから、電線が振動または屈曲しても、芯線部分に過大な応力が作用することがなく、芯線が切れるのを防止できる。また、端子本体は従前の端子金具を利用できるから、これとは別に固定部材を用意するだけで済み、必要に応じて固定部材を使用することが可能となって、汎用性が高められる。  
さらに、固定部材には端子本体固定部と被覆かしめ部との間に切り込みが設けられているから、このような切り込みがないものに比べ、被覆かしめ部のかしめ付け動作が円滑となる。この場合、例えば、固定部材の板厚を端子本体の板厚より薄くすることにより、被覆かしめ部のかしめ付け動作がより円滑となる。
【００１０】
＜請求項２＞
端子本体固定部は端子本体の芯線かしめ部にかしめ付けられるから、端子本体にしっかり保持される。また、端子本体のうち接続相手に導通接続される部位を有効に活用でき、スペース効率が良好となる。
【発明を実施するための最良の形態】
【００１１】
＜実施形態１＞
本発明の実施形態１を図１ないし図４によって説明する。本実施形態の端子金具１０は、バッテリー用の電線９０の端末に接続される端子金具を例示するものであり、金属板製の端子本体２０と、同じく金属板製であって端子本体２０とは別体の固定部材３０とから構成される。
【００１２】
端子本体２０は、電線９０の端末の被覆９１を皮剥ぎして露出される芯線９２にかしめ付けられる芯線かしめ部２１と、接続相手となるバッテリー側の締付ボルト（図示せず）に導通接続される相手側接続部２２とからなる。相手側接続部２２は、ほぼ水平な平板状をなし、その中央よりやや前方に、バッテリー側の締付ボルトが貫通する円形の挿通孔２３を有している。そして、この相手側接続部２２は、挿通孔２３に締付ボルトを貫通させた状態で、締付ボルトに締付ナット（図示せず）が締め付けられることで、双方間で接続固定されるようになっている。
【００１３】
また、芯線かしめ部２１は、相手側接続部２２の後端に一体に連繋されるものであって全体としてオープンバレル状をなし、その両側縁に、左右一対の芯線かしめ片２５を突成させた形態とされる。両芯線かしめ片２５は、互いに同形状であって、芯線９２の外周面に両側方から巻き付けられ、その突出端（先端）を芯線９２の幅方向中央に沿わせるように適合させて、芯線９２の外周面に密着させられる。
【００１４】
一方、固定材部３０は、前方に位置して端子本体２０の芯線かしめ部２１にかしめ付けられる端子本体固定部３１と、後方に位置して電線９０の端末の被覆９１（芯線９２の直後方に位置する被覆９１）にかしめ付けられる被覆かしめ部３２と、被覆かしめ部３２と端子本体固定部３１との間に位置して双方を一体に連繋する連結部３３とからなる。展開状態において、被覆かしめ部３２及び端子本体固定部３１は互いに同幅とされ、連結部３３は幅方向に延びて両側縁に開口するスリット状の切り込み３５によって被覆かしめ部３２及び端子本体固定部３１よりも幅狭とされる。かかる固定材部３０は、上記の展開状態から弧状に屈曲されることで、幅方向中央を境として左右対称形に構成される。また、端子本体固定部３１の前後長さは、被覆かしめ部３２の前後長さより少し長く、かつ芯線かしめ部２１の前後長さより少し短く設定されている。
【００１５】
連結部３３の両側縁は弧状に立ち上げられ、被覆かしめ部３２及び端子本体固定部３１の略下半部と連続する形態とされる。切り込み３５は、図２に示すように、側方から見ると略Ｕの字をなし、これによって切り込み３５に臨む、被覆かしめ部３２と連結部３３との間、及び端子本体固定部３１と連結部３３との間が弧状に連なり、ここに応力が集中するのを回避できるようにしてある。
【００１６】
被覆かしめ部３２は、全体としてオープンバレル状をなし、その両側縁に、左右一対の被覆かしめ片３６を突成させた形態とされる。両被覆かしめ片３６は、互いに同形状であって、被覆９１の外周面に両側方から巻き付けられ、その突出端を被覆９１の幅方向中央に沿わせるように適合させて、被覆９１の外周面に密着させられる。この被覆かしめ部３２によって径方向内向きに縮径される被覆９１の外径は芯線９２にかしめ付けられた芯線かしめ部２１の外径とほぼ同じとされる。
【００１７】
端子本体固定部３１は、同じく全体としてオープンバレル状をなし、その両側縁に、左右一対の端子本体かしめ片３７を突成させた形態とされる。両端子本体かしめ片３７は、互いに同形状であって、芯線かしめ部２１の外周面に両側方から巻き付けられ、その突出端を芯線かしめ部２１の幅方向中央に沿わせるように適合させて、芯線かしめ部２１の外周面に密着される。よって、図１に示すように、両芯線かしめ片２５、両端子本体かしめ片３７、両被覆かしめ片３６における突出端同士の各合わせ縁２５Ａ，３７Ａ，３６Ａは、それぞれ、端子金具１０の幅方向中央でかつ前後方向の同軸上に沿って配置され、このうち、両芯線かしめ片２５と両端子本体かしめ片３７の各合わせ縁２５Ａ，３７Ａは、径方向で重なり合って配置されることとなる。そして、両端子本体かしめ片３７は、両被覆かしめ片３６とほぼ同じ曲率で屈曲されて、芯線かしめ部２１に巻き付けられている。
【００１８】
次に、本実施形態の作用効果を説明する。  
まず、電線９０の端末を皮剥ぎして芯線９２を露出させる。続いて、芯線９２に対して端子本体２０の芯線かしめ部２１をかしめ付け、芯線９２の外周面に両芯線かしめ片２５を巻き付ける。次いで、被覆９１に対して固定材部３０の被覆かしめ部３２をかしめ付け、被覆９１の外周面に両被覆かしめ片３６を巻き付ける。また、芯線かしめ部２１に対して固定材部３０の端子本体固定部３１をかしめ付け、芯線かしめ部２１の外周面に両端子本体かしめ片３７を巻き付けて固定する。なお、この被覆かしめ部３２と端子本体固定部３１の各かしめ付け工程は、双方で同じかしめ治具（アンビルとクリンパ）を用いて同時に行うことができる。その後、相手側接続部２２を締付ボルト及び締付ナットを介してバッテリー側に接続することにより、端子金具１０はバッテリー側に固定される。
【００１９】
このように本実施形態によれば、固定材部３０が端子本体固定部３１を介して端子本体２０に固定され、その間が所定の剛性を有する連結部３３によって連繋されるため、この状態で電線９０が振動または屈曲しても、芯線かしめ部２１と被覆９１との間で露出する芯線部分９９に過大な応力が作用することがなく、芯線９２が不用意に切れるのを防止できる。
【００２０】
また、端子本体２０としては従前の端子金具を利用できるから、端子金具１０を構成するに際して比較的簡素な形態の固定材部３０を用意するだけで済み、必要に応じて固定材部３０を選択的に使用することが可能となるため、使い勝手が良い。特に、芯線かしめ部２１と被覆かしめ部３２とが一体化された従前の端子金具の場合には、芯線かしめ部２１と被覆かしめ部３２のいずれかが金属疲労すると、端子金具の全体を交換する必要があるため、材料の無駄が大きいという事情があった。これに対して本実施形態によれば、芯線かしめ部２１が金属疲労した場合には端子本体２０側のみを交換することができ、被覆かしめ部３２が金属疲労した場合には固定材部３０側のみを交換することができるので、材料の無駄をなくすことができる。
【００２１】
さらに、固定材部３０には端子本体固定部３１と被覆かしめ部３２との間に切り込み３５が設けられているから、このような切り込み３５がないものに比べ、被覆かしめ部３２及び端子本体固定部３１のかしめ付け動作が円滑となる。この場合、例えば、固定材部３０の板厚を端子本体２０の板厚より薄くすることにより、被覆かしめ部３２及び端子本体固定部３１のかしめ付け動作がより円滑となる。もっとも、これとは逆に、固定材部３０の板厚を端子本体２０の板厚より厚くすることにより、固定材部３０と端子本体２０との連結機構を強化にすることも可能である。このように本実施形態によれば、状況に応じて柔軟に対応することができる。
【００２２】
さらにまた、端子本体固定部３１は端子本体２０の芯線かしめ部２１にかしめ付けられるから、端子本体２０にしっかり保持される。しかも、端子本体固定部３１が芯線かしめ部２１に固定されることで、相手側接続部２２がスペース上の制約を受けることがないから、相手側接続部２２と締付ボルト及び締付ナットとの係止領域を十分に確保でき、スペース効率が良好となる。
【００２３】
＜他の実施形態＞
本発明は上記記述及び図面によって説明した実施形態に限定されるものではなく、例えば次のような実施形態も本発明の技術的範囲に含まれる。  
（１）端子本体固定部は、かしめ付け以外の固定方法（例えば、溶接）で端子本体に固定されてもよい。  
（２）端子本体固定部は、端子本体の相手側接続部に固定されてもよい。  
（３）両芯線かしめ片、両被覆かしめ片、及び両端子本体かしめ片は、それぞれ、両突出端同士を重ね合わせるようにしてオーバーラップ状に巻き付けられてもよい。  
（４）固定部材は前後方向について反転使用可能としてもよい。すなわち、端子本体固定部を被覆かしめ部として使用するとともに、被覆かしめ部を端子本体固定部として使用してもよい。これに鑑み、例えば、被覆かしめ部と端子本体固定部を同形状として、固定部材の前後方向に関する方向識別性を無くしても構わない。  
（５）本発明は、バッテリー用の電線以外の電線に接続される端子金具にも適用可能である。
【図面の簡単な説明】
【００２４】
【図１】本発明の実施形態１において、電線の端末に接続された端子金具の平面図
【図２】端子金具の側面図
【図３】固定部材の平面図
【図４】図３のＡ−Ａ断面図
【符号の説明】
【００２５】
１０…端子金具
２０…端子本体
２１…芯線かしめ部
２２…相手側接続部
３０…固定部材
３１…端子本体固定部
３２…被覆かしめ部
９０…電線
９１…被覆
９２…芯線
【図１】
2009117046.tif 000003
【図２】
2009117046.tif 000004
【図３】
2009117046.tif 000005
【図４】
2009117046.tif 000006